(57)【要約】      （修正有）【課題】長期の使用によっても表面にガラス繊維のささくれの起りにくいＦＲＰポールの提供。【解決手段】先ず、ガラス繊維ＦＲＰポールの表面を耐候性の良い樹脂で被覆加工し、長期間の使用にもささくれの起こらない耐久性のあるＦＲＰポールにした。ついで、生産性の面から複数同時引抜き成型時に、インラインでの連続加工技術を確立し、コストダウンも実現した。さらに、高付加価値ＦＲＰポールとして、光触媒酸化チタンや電気石の粉末練り込みにより、屋外での防汚性の改良や屋内用途での健康志向資材としての利用を実現し、高付加価値ＦＲＰポールを開発した。【選択図】図１
2006320884.tif 000002
【特許請求の範囲】
【請求項１】
複数同時引抜き成型加工中のエフ・アール・ピー・ポールの表面に、耐候性に優れた粉体塗料を熱により軟化させて吹付け、付着させて塗装した後、連続して焼付け加工による塗膜形成を行う耐久性に優れた新規なポール製造法
【請求項２】
ガラス繊維に不飽和ポリエステルを含侵し、複数同時引抜き加工をして製造するエフ・アール・ピー・ポールの表面に、白顔料、色顔料、光触媒酸化チタン、マイナスイオンを発生する鉱石等から選ばれた粉体を含む耐候性に優れた粉体塗料を、熱により軟化させて吹付けて塗装し、その後焼付け加工を連続して行って塗膜を形成させて、ガラス繊維のささくれ発生の起り難く、かつ防汚性や快適性機能を有する耐久性に優れたポール
【発明の詳細な説明】
【技術分野】
【０００１】本発明は、エフ・アール・ピー（ＦＲＰ）の複数同時引抜き加工によりポールを製造する工程で、連続的に粉体塗装と焼付け加工をする耐久性と機能性に優れたＦＲＰポールの製造法に関する。
【背景技術】
【０００２】余剰塗料の回収や清掃が迅速かつ容易にできる非導電性材料からなるベルトコンベアを用いて、均一な塗膜を安全に得るための静電粉体塗装装置は知られている。コンベアベルトに載せて、搬送しながら電界調整装置により塗装空間を形成して塗装するものであり、余剰塗料は塗装空間から離れたところで、ベルトコンベアに付着したものを回収する（特許文献１）。金属製ロール状の被塗装物に対し、電界流動粉体静電塗装方式を利用した連続粉体塗装設備と塗装方法も知られている。送りロール装置、静電粉体塗装装置、乾燥炉、冷却部、巻き取り装置を備え、連続的に塗装工程を通して、被塗装物を巻き取る方式である（特許文献２）。ドーナツ型のトンネルの中で、コロナ放電により帯電させて、静電塗装する装置が知られている（特許文献３）。基材シート上で粉体塗料を乾式塗工して、加熱圧着を繰り返す連続製造方法も公知である（特許文献４）。【０００３】インターネット調査では、エポキシ樹脂の静電粉体塗装、フッ素樹脂の焼付け塗装、ポリエステル樹脂静電粉体塗装、メラミン樹脂焼付け塗装等が、大矢化学株式会社のホームページに見られる。従って、静電塗装と焼付け塗装技術そのものは公知であるといえる（非特許文献１）。しかし、ＦＲＰポールを複数同時引抜き加工後に、熱によって軟化させた粉体塗料をポール表面に付着させ粉末塗装と焼付け加工を連続して行う製造法は知られていない。また、光触媒酸化チタンやマイナスイオンを放出するトルマリン粉末を塗膜に含有せしめて、長期間使用できる防汚性等の特殊機能性を付加したＦＲＰポールも知られていない。【０００４】
【特許文献１】特開平０６−３４３９０４
【特許文献２】特開２０００−１１７１５６
【特許文献３】特開２００３−１３５９９７
【特許文献４】特開２０００−２７９８７８
【非特許文献１】大矢化学株式会社ホームページ  ｈｔｔｐ：／／ｗｗｗ．ｏｈｙａｋａｇａｋｕ．ｃｏ．ｊｐ
【発明の開示】
【発明が解決しょうとする課題】
【０００５】ガラス繊維を使用したＦＲＰポール製品は、色々の用途に使用されている。しかし、二三年使用すると磨耗により、表面が摩滅して、ガラス繊維が表面に出て来て、手で触ると皮膚に刺傷が発生することが問題になっている。皮革を染色するタイコと称されている染色機械がある。このタイコをガラス繊維ＦＲＰで製作して使用すると、被染色物との擦れにより、ガラス繊維が表面にのぞくようになり、被染色物が傷むことが知られている。すなわち、一般的に、ＦＲＰ製品の耐磨耗性は良くないと言われている。色々の用途に使用されるＦＲＰポールについてもその耐久性の向上が大きな課題であった。使用環境によっては、２年程度で耐候劣化が発生したり、表面の損傷と共に汚れが発生し、見苦しくなる。長期間使用でき、防汚性に優れたＦＲＰポールの製造技術の開発が課題であった。
【０００６】さらに、現在、生産効率を高めるため複数本のＦＲＰポールの同時引抜きを行っており、全ての成型品で均一な塗布量を得るための塗装方法とその条件の確定が課題であった。塗布圧、引抜き速度、加熱条件を特定して、ばらつきのないＦＲＰの引抜き連続塗装技術の確立が課題であった。樹脂粉末は帯電させる事が難しく、静電塗装法が適用できないことから連続的に塗装する方法の開発が課題であった。また、色々の用途に展開するＦＲＰポールを考えた場合に、屋内のカーテンレール、組み立て家具用資材、パソコンデスク用品等では、従来品とは差別化ができる付加価値の高いＦＲＰポールの開発が課題であった。
【課題を解決するための手段】
【０００７】先ず、耐候性に優れた粉体塗料の選定が必要であり、次いでその中からＦＲＰポールへの接着性の良好な樹脂を特定する。広告用やお祭りののぼり、旗、農業用のハウス等屋外用途が多く、短期間でガラスのささくれが発生すると、設置作業で手の裂傷や刺傷が発生しクレイムとなる。少なくとも数年間、表面のささくれや劣化がなく、耐候性、耐光性、防汚性に問題のない粉体塗装を施すことが解決手段である。そのためには、耐候性と自己浄化機能のある光触媒の利用が一つの手段である。また、屋内使用のＦＲＰポールでは、電気石のようにマイナスイオンを放出する鉱石粉末を塗料に混入し塗装することにより、室内環境の改善をもたらす付加価値をねらう。さらに、複数の同時引抜き製造法で、インラインで加工できる均一な塗布技術、加熱焼付け技術の確立に対しては、本発明技術では、成型加工ラインの数秒の間で、塗装粉体を熱風により軟化させてＦＲＰポールに衝突させる方法で解決した。粉末の加熱条件、引抜き速度、衝突させる粉体塗料の濃度と速度等のコントロールにより、ほぼ膜厚の均一性を確保した。
【発明の効果】
【０００８】旗の懸垂用や農業用ハウスの支柱に使用した場合に、従来のように２年程度で表面がささくれる事がなくなった。旗の出し入れ、催しの都度の交換、ビニールハウスの組み立て直し時の手の裂傷が起こり難くなった。さらに、光触媒粒子が表面にあり、光が当たると電子が飛び出し、抜け殻である正孔が同時に出来て、電子は空気中の酸素と反応して還元力を持ち、正孔は空気中の水と反応して酸化分解力の強い水酸化ラジカルを作る。これらが有機物を分解し、汚れのこびりつきや臭いの発生を防止する効果が生まれる。従って、粉体塗料に光触媒酸化チタンを添加すると、防汚性という機能の付加効果があり、商品価値が上がる。屋内用途のＦＲＰポールでは、極性結晶体の一つであるマイナスイオン発生の電気石を添加した粉体塗料により室内の空気の抗菌効果の向上と気分爽快の滝効果をもたらす事も可能となった。
【発明を実施するための最良の形態】
【０００９】図１のａ、ｂによって説明する。ガラス繊維２にポリエステル樹脂３を含侵し、複数同時引抜きによりＦＲＰポール１を成型する。複数同時引抜きで成型加工後、連続的に表面に粉末塗装と焼付け加工をして、表面層４を形成する。その際、塗装樹脂には、ポリカーボネート、ポリエステルのような耐候性のよい材料の中から選定し、ポリプロピレンやポリウレタン等は避け、接着性にも配慮した樹脂選定をする。これによりＦＲＰポール使用時のささくれが発生し難くなる。耐候性の良い樹脂の中には、白顔料或いは希望の色の顔料５を添加することにより希望の色のポール商品とする。屋外使用のポールでは、さらに長期間の防汚にも効果のあるアナターゼ型の結晶構造を有する光触媒酸化チタン６を、０．５〜１０％程度含有した粉体塗料を使用するのが最良の形態である。屋内使用のＦＲＰポールでは、極性結晶体として電気石の粉末７を混入し、絶えずマイナスイオンを発生するポールとして、屋内用品資材として使用して、快適な生活空間実現の一助とすることで、高付加価値化をねらうのがよい。【００１０】複数本の同時引抜きに当たり、均一に塗布して薄膜を形成し焼付け加工する最良の形態は、複数本が平行して走行している高温状態のＦＲＰポール表面で、粉体塗料を軟化させつつポール表面に衝突させる技術である。塗装空間の中で、特定方向からの気流を作り、ポールの周囲に衝突させることにより均一な塗膜を得て、高温焼付けにより平滑化を実現する。気流の方向は、複数の方向から噴出し、塗膜の状態を見てコントロールするのがよい。
【実施例１】
【００１１】不飽和ポリエステル樹脂３０％、ガラス繊維７０％の割合で、１８本の同時引抜き加工をして、１．５万デニールのガラス繊維より８ｍｍの角柱のＦＲＰポール１を製造した。その加工中のＦＲＰポールの熱いポールに対して下方から１３０℃の予熱で軟化したポリエステル樹脂の粉体塗料を吹付け、ポールの熱でさらに軟化させながら粉体塗料をＦＲＰポールに衝突させ、ポールの周辺に塗膜を形成させた。気流の関係で衝突と拡散による回り込みもあり、ほぼ均一な塗膜が形成された。顔料としては、白顔料５％と光触媒酸化チタン３％を添加使用して、ＦＲＰポール表面に光触媒酸化チタンを表面に存在させて、耐久性と防汚性を付与した。屋外の広告用の旗に使用し、２年後にもガラス繊維のささくれが発生しなかった。
【産業上の利用可能性】
【００１２】屋外でさび易い鉄製のポールに対して、長期間腐食もなく使用できるＦＲＰポールは、農業資材、園芸資材として広く普及した。しかもガラス繊維使用のポールは、しなやかであり、湾曲使用によっても復元性があり、長期間の繰り返し使用をもたらした。しかし、唯一の欠点は、表面の摩滅によりガラス繊維が表面に現れ、触れると手の裂傷が起きることであった。本発明技術では、この欠点が防御でき、より広く農家や園芸家に普及するものと考えられる。さらに、光触媒酸化チタンやマイナスイオン発生鉱石の練りこみにより防汚性の改良と生活環境への利用が広がり、ＦＲＰポール産業分野の生産拡大につながる可能性がある。
【図面の簡単な説明】
【００１３】
【図１】ａＦＲＰポールの断面模式図  ｂ断面の拡大模式図
【符号の説明】
【００１４】１複数同時引抜き加工したＦＲＰポールの１本
２ガラス繊維断面
３ポリエステル樹脂
４粉体塗装により形成された耐候性に優れた表面層
５白及び着色顔料
６光触媒酸化チタン
７電気石粉末
【図１】
2006320884.tif 000003